(57)【要約】【課題】小型の装着部材を印刷装置に装着することで、きれいな切り口で記録媒体を切断できるようにする。【解決手段】装着部材２は、印刷装置本体３に装着されるカッターフレーム２０と、印刷装置本体３の外側に突出する外側突出部４３が印刷装置本体３の上面１０に沿って移動する動きに連動して記録媒体をカットするカッター機構１９とを備えた。【選択図】図４
2016030355.tif 000002
【特許請求の範囲】
【請求項１】
印刷装置本体に装着されるフレームと、前記印刷装置本体の外側に突出する突出部が前記印刷装置本体の表面に沿って移動する動きに連動して記録媒体をカットするカッター機構とを備えたことを特徴とする装着部材。
【請求項２】
前記カッター機構は、固定刃と前記突出部の動きに連動する可動刃とを備え、前記固定刃と前記可動刃との間に閉じられた空間である案内部が形成され、前記記録媒体は前記案内部を通過することを特徴とする請求項１記載の装着部材。
【請求項３】
前記案内部は、前記印刷装置本体の前記記録媒体の排出口と横幅が略一致しているとともに、前記排出口に対して上下方向に近接していることを特徴とする請求項２記載の装着部材。
【請求項４】
前記印刷装置本体は、前記表面側のカバーをオープンさせるカバーオープンボタンを備え、前記フレームが装着されると前記カバーオープンボタンが隠れることを特徴とする請求項１から３のいずれかに記載の装着部材。
【請求項５】
前記印刷装置本体は、手切りによって前記記録媒体をカットする刃部を備え、前記固定刃は、前記刃部に近接して配置されることを特徴とする請求項２または３記載の装着部材。
【請求項６】
前記刃部は、前記記録媒体の排出方向に略平行に配置されるとともに先端に刃を備え、前記固定刃は、前記刃部に対して略直交して配置されるとともに先端に切れ刃を備え、
前記固定刃の先端部は、前記刃に近接する位置で前記刃を覆うように配置されることを特徴とする請求項５記載の装着部材。
【請求項７】
前記フレームは、印刷装置本体の左右の側面に沿って延びる一対の固定部を備えることを特徴とする請求項１から６のいずれかに記載の装着部材。
【請求項８】
前記カッター機構は、前記可動刃に連結される操作レバーを備え、前記突出部は、前記操作レバーが備えることを特徴とする請求項２または３に記載の装着部材。
【請求項９】
印刷装置本体に装着されるフレームと、前記印刷装置本体の外側に突出する突出部が前記印刷装置本体の表面に沿って移動する動きに連動して記録媒体をカットするカッター機構とを備えた装着部材が装着されたことを特徴とする印刷装置。
【発明の詳細な説明】
【技術分野】
【０００１】
本発明は、装着部材、及び、印刷装置に関する。
【背景技術】
【０００２】
従来、手切りのカッターを備えたファクシミリ装置に装着され、記録媒体を電動のカッターによって自動でカットすることを可能とするカッター装置が知られている（例えば、特許文献１参照）。特許文献１のように、電動のカッターで記録媒体を切断する場合、手で引っ張るようにして記録媒体をカッターに押し付けて記録媒体を千切るように切断（手切り）する場合に比して、きれいな切り口で記録媒体を切断できる。
【先行技術文献】
【特許文献】
【０００３】
【特許文献１】特開平５−１０３１４６号公報
【発明の概要】
【発明が解決しようとする課題】
【０００４】
ところで、手切りのカッターを備えた印刷装置においても、カッター装置としての装着部材を装着し、きれいな切り口で記録媒体を切断することが望まれる。しかし、上記従来のような電動式の装着部材（カッター装置）は、サイズが大きくなるため、特に、小型で持ち運びが可能なモバイル印刷装置等の印刷装置には適用することが難しい。
本発明は、上述した事情に鑑みてなされたものであり、小型の装着部材を印刷装置に装着することで、きれいな切り口で記録媒体を切断できるようにすることを目的とする。
【課題を解決するための手段】
【０００５】
上記目的を達成するために、本発明は、印刷装置本体に装着されるフレームと、前記印刷装置本体の外側に突出する突出部が前記印刷装置本体の表面に沿って移動する動きに連動して記録媒体をカットするカッター機構とを備えたことを特徴とする装着部材を提供する。
この構成によれば、フレームを介して装着部材を印刷装置本体に装着し、突出部を印刷装置本体の表面に沿って手動で移動させることで、カッター機構によって記録媒体を切断できる。このため、手動により動かされる突出部に連動する小型なカッター機構で記録媒体を切断でき、きれいな切り口で記録媒体を切断できる。
【０００６】
また、本発明は、前記カッター機構は、固定刃と前記突出部の動きに連動する可動刃とを備え、前記固定刃と前記可動刃との間に閉じられた空間である案内部が形成され、前記記録媒体は前記案内部を通過することを特徴とする。
この構成によれば、固定刃と可動刃とによって簡単な構成で案内部を形成でき、この案内部に記録媒体を通して記録媒体を適切な位置に案内し、きれいな切り口で記録媒体を切断できる。
また、本発明は、前記案内部は、前記印刷装置本体の前記記録媒体の排出口と横幅が略一致しているとともに、前記排出口に対して上下方向に近接していることを特徴とする。
この構成によれば、排出口から排紙される記録媒体をスムーズに案内でき、きれいな切り口で記録媒体を切断できる。
【０００７】
さらに、本発明は、前記印刷装置本体は、前記表面側のカバーをオープンさせるカバーオープンボタンを備え、前記フレームが装着されると前記カバーオープンボタンが隠れることを特徴とする。
この構成によれば、装着部材を装着した状態でカバーオープンボタンが押されることを防止でき、装着部材がカバーによって押し上げられてしまうことを防止できる。
また、前記印刷装置本体は、手切りによって前記記録媒体をカットする刃部を備え、前記固定刃は、前記刃部に近接して配置されることを特徴とする。
この構成によれば、カッター機構で記録媒体を切断する場合であっても、手切りによって記録媒体をカットする刃部と同様の位置で切断することができる。
【０００８】
また、本発明は、前記刃部は、前記記録媒体の排出方向に略平行に配置されるとともに先端に刃を備え、前記固定刃は、前記刃部に対して略直交して配置されるとともに先端に切れ刃を備え、前記固定刃の先端部は、前記刃に近接する位置で前記刃を覆うように配置されることを特徴とする。
この構成によれば、固定刃を省スペースに配置できるとともに、カッター機構で記録媒体を切断する場合であっても、手切りによって記録媒体をカットする刃部と同様の位置で切断することができる。また、固定刃の先端部が刃部の刃を覆うため、記録媒体が刃に接触してしまうことを防止できる。
また、本発明は、前記フレームは、印刷装置本体の左右の側面に沿って延びる一対の固定部を備えることを特徴とする。
この構成によれば、一対の固定部によって印刷装置本体の左右の側面を保持でき、装着部材を簡単に且つ安定的に印刷装置本体に装着できる。
【０００９】
さらに、本発明は、前記カッター機構は、前記可動刃に連結される操作レバーを備え、前記突出部は、前記操作レバーが備えることを特徴とする。
この構成によれば、操作レバーを印刷装置本体の表面に沿って動かすことで簡単に記録媒体を切断できる。
また、本発明は、印刷装置本体に装着されるフレームと、前記印刷装置本体の外側に突出する突出部が前記印刷装置本体の表面に沿って移動する動きに連動して記録媒体をカットするカッター機構とを備えた装着部材が装着されたことを特徴とする。
この構成によれば、フレームを介して装着部材を印刷装置本体に装着し、突出部を印刷装置本体の表面に沿って手動で移動させることで、カッター機構によって記録媒体を切断できる。このため、手動により動かされる突出部に連動する小型なカッター機構で記録媒体を切断でき、きれいな切り口で記録媒体を切断できる。
【図面の簡単な説明】
【００１０】
【図１】本実施の形態に係る印刷装置に装着部材を装着した状態の外観斜視図。
【図２】図１のＩＩ−ＩＩ断面図。
【図３】印刷装置の外観斜視図。
【図４】印刷装置に装着部材を装着した状態の外観斜視図。
【図５】装着部材の外観斜視図。
【図６】装着部材を下方側から見た外観斜視図。
【図７】固定板部の取り付け状態を示す外観斜視図。
【発明を実施するための形態】
【００１１】
以下、図面を参照して本発明の実施形態について説明する。
図１は、本実施の形態に係る印刷装置１に装着部材２を装着した状態の外観斜視図である。図２は、図１のＩＩ−ＩＩ断面図である。図３は、印刷装置１の外観斜視図である。なお、図２では、後述する装着部材２のカバー部材２５が取り外された状態が示されている。
印刷装置１は、印刷装置本体３の内部に収容した記録媒体としてのロール紙４（記録媒体）に印刷（記録）し、印刷したロール紙４を排出口５から排出する。印刷装置１は、小型で携帯可能に形成されるとともにバッテリーを内蔵したモバイルプリンターである。装着部材２は、印刷装置本体３に後付けで装着され、排出口５から排出されるロール紙４を手動で切断可能とするカッター装置である。
【００１２】
まず、図１〜図３を参照し、装着部材２を装着していない状態の構成を説明する。
印刷装置本体３は、略直方体の箱状のケース６を備える。ケース６は、上面が開口した箱状の下ケース７と、下ケース７の前部を上方から覆う上ケース８と、下ケース７の後部を上方から覆う開閉蓋９（カバー）とを備える。上ケース８と開閉蓋９とは、印刷装置本体３の上面１０（表面）を形成する。
印刷装置本体３は、ロール紙４を収容するロール紙収容部１１を開閉蓋９の内側に備える。ロール紙４は、ロール紙４の軸４ａが印刷装置本体３の長手方向に直交する向きで収容される。開閉蓋９は、軸４ａの後方で軸４ａに略平行な回動軸（不図示）を中心にして前後に回動し、これにより、ロール紙収容部１１へのアクセスが可能となる。
【００１３】
印刷装置本体３は、前記排出口５と、開閉蓋９を開ける際に操作されるカバーオープンボタン１２と、電源ボタン１３と、ロール紙４を切断する手切りカッター１４（刃部）とを備える。また、印刷装置本体３は、ケース６の内側に、ロール紙４に印刷する記録ヘッド１５及びプラテンローラー１６を備える機構部１７と、機構部１７を制御する制御部（不図示）とを備える。機構部１７は、ロール紙収容部１１の前方側に配置される。ここで、記録ヘッド１５は板状のサーマルヘッドであり、略鉛直に立てた状態で配置される。
【００１４】
排出口５は、機構部１７の上方で上ケース８と開閉蓋９と間に形成される開口であり、ロール紙４の幅方向（横幅方向）に細長く延びる。上面１０は、ケース６の内側に窪む凹部１０ａを前後の中間部に備え、排出口５は、凹部１０ａの底部に形成されている。また、上面１０において凹部１０ａの前後の位置には、上方に突出する凸部１０ｂ，１０ｃがそれぞれ形成されている。
印刷装置１は、下ケース７の底面を介して台等の設置面に配置され、印刷後のロール紙４は、プラテンローラー１６の回転により搬送されて、排出口５から略鉛直に上方側へ排出される。
カバーオープンボタン１２は、上面１０において上ケース８の側部に配置される。カバーオープンボタン１２が押圧操作されると、ばね等で開方向に付勢されている開閉蓋９のロックが解除され、開閉蓋９は自動で開かれる。電源ボタン１３は、上ケース８の前部に設けられる。
【００１５】
手切りカッター１４は、排出口５内で記録ヘッド１５の上方に配置される。手切りカッター１４は、ロール紙４の幅方向に沿って延びる板状のカッターであり、先端にのこぎり状の刃１４ａを備える。手切りカッター１４は、刃１４ａが上端となるように、ロール紙４の排出方向に沿って略鉛直方向に立てて配置されている。
ユーザーは、図２に示すように排出口５の上方に突出したロール紙４を手で把持し、ロール紙４を前方側に引っ張るようにしてロール紙４を手切りカッター１４の刃１４ａに押し付けることで、ロール紙４を手切りすることができる。この場合、ロール紙４の切り口はのこぎり状となる。また、ロール紙４の引っ張り方によっては、ロール紙４が途中で千切れてしまうことがあり、ロール紙４をきれいに切断するにはユーザーの技量が要求される。
【００１６】
図４は、印刷装置１に装着部材２を装着した状態の外観斜視図である。図５は、装着部材２の外観斜視図である。図６は、装着部材２を下方側から見た外観斜視図である。なお、図４〜図６では、後述するカバー部材２５は外された状態が示されている。
装着部材２は、排出口５を覆うように印刷装置本体３の上面１０に装着される。
図１、図２、図４〜図６を参照し、装着部材２は、平面視で略矩形の枠状に形成されたカッターフレーム２０（フレーム）と、カッターフレーム２０に固定される固定刃２１と、固定刃２１に対し相対移動する可動刃２２と、可動刃２２を保持する可動刃保持板２３と、可動刃保持板２３に連結される操作レバー２４と、カッターフレーム２０等を上方から覆うカバー部材２５（図１参照）とを備える。
固定刃２１、可動刃２２、可動刃保持板２３及び操作レバー２４は、操作レバー２４の動きに連動してロール紙４を切断するカッター機構１９を構成する。
【００１７】
カッターフレーム２０は、排出口５の周囲の上面１０に沿う板状に形成されるメインフレーム２６を備える。メインフレーム２６は、印刷装置１の前後方向よりも幅方向に長い略長方形の板である。なお、印刷装置１の幅方向は、ロール紙４の幅方向に一致する。
詳細には、メインフレーム２６は、排出口５の形状に対応して幅方向に長く延びる略矩形の開口部２７が形成されることで枠状に形成される。すなわち、メインフレーム２６は、開口部２７の前側で幅方向に延びる前板部２６ａと、開口部２７の後側で幅方向に延びる後板部２６ｂと、前板部２６ａと後板部２６ｂとを前後に繋ぐ左右一対の側板部２６ｃ，２６ｄとを備えて枠状に形成される。
後板部２６ｂにおいてカッターフレーム２０の幅方向の中央部には、前後方向に延びる長孔状のガイド孔２０ａ（図２及び図６参照）が形成されている。
【００１８】
また、カッターフレーム２０は、メインフレーム２６の幅方向の両端から下方へ延びる左右一対の固定板部２８，２８（固定部）と、幅方向の一端（右端）側の側板部２６ｄから上方へ立設されるレバーガイド部２９と、メインフレーム２６の幅方向の一端部の前縁から前方に延びるボタン覆い部３０とを備える。さらに、カッターフレーム２０は、後板部２６ｂの幅方向の両端部から上方へ立設される左右一対のレバー支持部３１，３１とを備える。
固定板部２８，２８の下端部の内面には、カッターフレーム２０の幅方向の内側へ突出する突起部２８ａ，２８ａが設けられる。
レバーガイド部２９は、前後に延びる板状に形成されており、レバーガイド部２９を幅方向に貫通するレバーガイド孔２９ａを備える。レバーガイド孔２９ａは前後に長い長孔状に形成されており、レバーガイド孔２９ａには操作レバー２４が通される。
レバー支持部３１，３１は、操作レバー２４を下方から支持する。
【００１９】
図２及び図５を参照し、可動刃保持板２３は、開口部２７に沿うように配置される幅方向に長い板材である。可動刃保持板２３は、メインフレーム２６の後板部２６ｂの上面に配置される摺動板部３２と、摺動板部３２の前縁で屈曲して下方に延びる段部３３と、段部３３の下縁で前方に屈曲して前方に延びるカッター支持板部３４とを備える。
可動刃保持板２３は、段部３３が開口部２７の後縁２７ａに沿うように配置され、カッター支持板部３４は、開口部２７の内側に位置する。
摺動板部３２は、幅方向の中央部から後方に突出する操作レバー連結部３２ａと、幅方向の両端部から後方に突出するガイド部３２ｂ，３２ｂとを備える。ガイド部３２ｂ，３２ｂは、その内側面がレバー支持部３１，３１の外側面に当接して位置をガイドされる。
【００２０】
図２、図５及び図６に示すように、可動刃２２は、カッターフレーム２０の幅方向に長い板状のカッターであり、可動刃保持板２３のカッター支持板部３４の下面に固定されることで開口部２７の内側に配置される。可動刃２２は、可動刃２２及びカッター支持板部３４を貫通する複数のねじ３５，３５によって固定される。
可動刃２２は、カッター支持板部３４の前縁よりも固定刃２１側に突出しており、ロール紙４を切断する可動刃側切れ刃３６を前端に備える。可動刃側切れ刃３６は、平面視では略Ｖ字状に形成されており、可動刃２２の幅方向の中央部で固定刃２１側への突出量が最も小さく、幅方向の外側ほど突出量が大きくなっている。
可動刃側切れ刃３６は、固定刃２１とは反対側に窪む凹部３７を幅方向の中央部に備える。また、可動刃２２は、可動刃側切れ刃３６の幅方向の両端から固定刃２１側へ前方に突出する突出片３８，３８（右側の突出片３８は不図示）を一対備える。
【００２１】
固定刃２１は、可動刃２２に対向して配置される板状のカッターであり、メインフレーム２６の前板部２６ａの下面に固定される。固定刃２１は、固定刃２１及び前板部２６ａを貫通する複数のねじ３９，３９によって固定される。
固定刃２１は、可動刃側切れ刃３６側に向かって開口部２７の内側に突出しており、先端部に固定刃側切れ刃４０（切れ刃）を備える。固定刃側切れ刃４０は、ロール紙４の幅方向に略直線状に延びる。
固定刃２１は可動刃２２に対して略平行且つ一段低い位置に配置されており、可動刃２２の突出片３８，３８の下面は、固定刃側切れ刃４０の幅方向の両端部の上面に重なる。すなわち、可動刃２２と固定刃２１とは、突出片３８，３８を介して接続されており、可動刃２２と固定刃２１との間には、閉じられた空間である案内部４１が形成される。詳細には、案内部４１は、可動刃側切れ刃３６、突出片３８，３８及び固定刃側切れ刃４０によって囲まれた空間である。案内部４１は、開口部２７に重なる位置に設けられる。
案内部４１の横幅は、印刷装置本体３の排出口５の横幅と略一致している。案内部４１の幅は、ロール紙４の幅よりも大きく、ロール紙４は案内部４１を通過可能である。
【００２２】
操作レバー２４は、カッターフレーム２０の幅方向に長い板状に形成されている。操作レバー２４は、メインフレーム２６の側板部２６ｃの後部に立設される操作レバー支持軸４２に一端を支持され、操作レバー支持軸４２を中心に回動可能である。
操作レバー２４は、他端部がレバーガイド孔２９ａを通って幅方向の外側に延びており、他端には、右側の固定板部２８よりも外側に突出する外側突出部４３（突出部）が設けられる。外側突出部４３は、その後縁部を上方に折り曲げるようにして立設された把持部４３ａを備える。
また、操作レバー２４は、その長手方向の中間部に設けられる連結軸４４を介して、可動刃保持板２３の操作レバー連結部３２ａに連結される。すなわち、操作レバー２４は、連結軸４４及び可動刃保持板２３を介して可動刃２２に接続されており、操作レバー２４を回動させることで、可動刃２２は操作レバー２４に連動して前後に移動する。
【００２３】
操作レバー２４は、操作レバー支持軸４２の外周部に巻き掛けられるねじりコイルバネ４５によって、操作レバー２４が後方側へ回動する向き、すなわち可動刃２２が固定刃２１から離れる向きに付勢されている。ねじりコイルバネ４５の一端４５ａは、操作レバー支持軸４２の近傍に設けられたばね支持突起４６に支持され、ねじりコイルバネ４５の他端４５ｂは、操作レバー２４の前縁に支持される。
可動刃保持板２３は、下方に突出する軸状のストッパー部４７を操作レバー連結部３２ａの下面に備え、ストッパー部４７は、メインフレーム２６のガイド孔２０ａに通される。
操作レバー２４の回動位置は、ストッパー部４７によって規制される。すなわち、操作レバー２４は、通常時には、ねじりコイルバネ４５の付勢力によってストッパー部４７がガイド孔２０ａの後端に当接することで、最も後方側の位置にある。また、操作レバー２４がねじりコイルバネ４５の付勢力に抗して前方側へ回動された場合、操作レバー２４の回動位置は、ストッパー部４７がガイド孔２０ａの前端に当接することで規制される。
図１に示すように、カバー部材２５は、メインフレーム２６の前端部を除くメインフレーム２６の略全体及び操作レバー２４を覆う。カバー部材２５は、案内部４１を上方に露出させる通し孔部２５ａと、操作レバー２４を外側に通す側面開口部２５ｂとを備える。
【００２４】
図７は、固定板部２８，２８の取り付け状態を示す外観斜視図である。
下ケース７は、左右の側面部の下部に内側に窪む係合凹部７ａ，７ａを備える。装着部材２は、上面１０に被せるように設けられ、メインフレーム２６の下面が凸部１０ｂ，１０ｃに合わさるとともに、固定板部２８，２８の突起部２８ａ，２８ａが係合凹部７ａ，７ａに係合することで、印刷装置本体３に固定される。
装着部材２が装着されると、案内部４１は排出口５に上方から重なる。このため、排出口５から排出されたロール紙４は、自動的に案内部４１を通る。ユーザーは、案内部４１にロール紙４が通った状態で操作レバー２４を前方側に回動操作することで、カッター機構１９の可動刃側切れ刃３６と固定刃側切れ刃４０とを交差させてロール紙４を切断することができる。本実施の形態では、ロール紙４の面に略直交する向きで交差する可動刃側切れ刃３６及び固定刃側切れ刃４０によってロール紙４をせん断して切断するため、きれいな切り口でロール紙４を切断できる。カッター機構１９はモーター等の動力源を用いない手動式であるため、小型に形成できる。
また、可動刃側切れ刃３６が凹部３７を備えるため、凹部３７に対応するロール紙４の中央部は、切り残し部として残る。この切り残し部は、細いため、ユーザーが引っ張るだけで簡単に切断される。
【００２５】
ユーザーは、例えば、右手の親指でケース６の前面を押さえるとともに、右手の人差し指で外側突出部４３の把持部４３ａを把持して操作レバー２４を手前に引くことで、ロール紙４を片手による操作で切断できる。この際、操作レバー２４は、上面１０に沿って前方に移動するだけである。このように、印刷装置本体３の外側に突出する外側突出部４３を印刷装置本体３の表面である上面１０に沿って移動させるだけでロール紙４を手動によってせん断させることができ、きれいな切り口で容易にロール紙４を切断できる。また手動で操作レバー２４を動作させるため、バッテリーの電力を用いずにロール紙４をきれいに切断できる。
【００２６】
また、装着部材２が装着されると、固定刃２１は、手切りカッター１４に略直交する姿勢で手切りカッター１４の刃１４ａの上方に配置されるとともに、刃１４ａに近接する位置で固定刃側切れ刃４０によって刃１４ａを上方から覆う。このため、手切りカッター１４によって手切りする場合と同様の位置で装着部材２によってロール紙４を切断できる。また、装着部材２でロール紙４を切断しようとする場合において、ロール紙４が手切りカッター１４の刃１４ａに接触してしまうことを簡単な構成で防止できる。
また、カバーオープンボタン１２は、ボタン覆い部３０によって覆われて隠される。
【００２７】
以上説明したように、本発明を適用した実施の形態によれば、装着部材２は、印刷装置本体３に装着されるカッターフレーム２０と、印刷装置本体３の外側に突出する外側突出部４３が印刷装置本体３の上面１０に沿って移動する動きに連動してロール紙４をカットするカッター機構１９とを備える。これにより、カッターフレーム２０を介して装着部材２を印刷装置本体３に装着し、外側突出部４３を印刷装置本体３の上面１０に沿って手動で移動させることで、カッター機構１９によってロール紙４を切断できる。このため、手動により動かされる外側突出部４３に連動する小型なカッター機構１９でロール紙４を切断でき、きれいな切り口でロール紙４を切断できる。
【００２８】
また、カッター機構１９は、固定刃２１と外側突出部４３の動きに連動する可動刃２２とを備え、固定刃２１と可動刃２２との間に閉じられた空間である案内部４１が形成され、ロール紙４は案内部４１を通過する。このため、固定刃２１と可動刃２２とによって簡単な構成で案内部４１を形成でき、この案内部４１にロール紙４を通してロール紙４を適切な位置に案内し、きれいな切り口でロール紙４を切断できる。
また、案内部４１は、印刷装置本体３のロール紙４の排出口５と横幅が略一致しているとともに、排出口５に対して上下方向に近接しているため、排出口５から排紙されるロール紙４をスムーズに案内でき、きれいな切り口でロール紙４を切断できる。
【００２９】
さらに、印刷装置本体３は、上面１０側の開閉蓋９をオープンさせるカバーオープンボタン１２を備え、カッターフレーム２０が装着されるとカバーオープンボタン１２が隠れる。このため、装着部材２を装着した状態でカバーオープンボタン１２が押されることを防止でき、装着部材２が開閉蓋９によって押し上げられてしまうことを防止できる。
また、印刷装置本体３は、手切りによってロール紙４をカットする手切りカッター１４を備え、固定刃２１は、手切りカッター１４に近接して配置される。このため、カッター機構１９でロール紙４を切断する場合であっても、手切りカッター１４と同様の位置で切断することができる。
【００３０】
また、手切りカッター１４は、ロール紙４の排出方向に略平行に配置されるとともに先端に刃１４ａを備え、固定刃２１は、手切りカッター１４に対して略直交して配置されるとともに先端に固定刃側切れ刃４０を備え、固定刃２１の先端部は、刃１４ａに近接する位置で刃１４ａを覆うように配置される。このため、固定刃２１を省スペースに配置できるとともに、カッター機構１９でロール紙４を切断する場合であっても、手切りによってロール紙４をカットする手切りカッター１４と同様の位置で切断することができる。また、固定刃２１の先端部が手切りカッター１４の刃１４ａを覆うため、ロール紙４が刃１４ａに接触してしまうことを防止できる。
【００３１】
また、カッターフレーム２０は、印刷装置本体３の左右の側面に沿って延びる一対の固定板部２８，２８を備えるため、一対の固定板部２８，２８によって印刷装置本体３の左右の側面を保持でき、装着部材２を簡単に且つ安定的に印刷装置本体３に装着できる。
さらに、カッター機構１９は、可動刃２２に連結される操作レバー２４を備え、外側突出部４３は、操作レバー２４が備えるため、操作レバー２４を印刷装置本体３の上面１０に沿って動かすことで簡単にロール紙４を切断できる。
【００３２】
なお、上記実施の形態は本発明を適用した一態様を示すものであって、本発明は上記実施の形態に限定されるものではない。
上記実施の形態では、印刷装置１は、下ケース７の底面を介して台等の設置面に配置され、印刷後のロール紙４は、プラテンローラー１６の回転により搬送されて、排出口５から略鉛直に上方側へ排出されるものとして説明したが、本発明はこれに限定されない。例えば、ユーザーは印刷装置１を身に付けて使用することもでき、この場合、印刷装置１はロール紙４を横方向に排出する向きで配置されることがある。この場合においても、印刷装置本体３に装着部材２を装着して操作レバー２４を操作することで、ロール紙４をきれいな切り口で切断できる。
【符号の説明】
【００３３】
１…印刷装置、２…装着部材、３…印刷装置本体、４…ロール紙（記録媒体）、５…排出口、９…開閉蓋（カバー）、１０…上面（表面）、１２…カバーオープンボタン、１４…手切りカッター（刃部）、１４ａ…刃、１９…カッター機構、２０…カッターフレーム（フレーム）、２１…固定刃、２２…可動刃、２４…操作レバー、２８…固定板部（固定部）、４０…固定刃側切れ刃（切れ刃）、４１…案内部、４３…外側突出部（突出部）。
【図１】
2016030355.tif 000003
【図２】
2016030355.tif 000004
【図３】
2016030355.tif 000005
【図４】
2016030355.tif 000006
【図５】
2016030355.tif 000007
【図６】
2016030355.tif 000008
【図７】
2016030355.tif 000009